(57)【要約】【課題】  銀行毎のキャッシュカードと振込カードとをそれぞれもち、かつ振込元の銀行のＡＴＭからでないと当該銀行からの振込を行うことができず、利便性に欠ける。【解決手段】  複数の銀行１２−１〜１２−ｎ間での振込を実行可能にする銀行間の取引装置１１は、振込を行う振込元の銀行と振込先の銀行を特定するデータを記録した登録銀行間共用のキャッシュカード１４を自動取引装置（ＡＴＭ）１３にアクセスすることでカード内のデータをＡＴＭ１３に読み取らせ、そのデータを元にＡＴＭ１３で生成した振込命令を受け、その命令により指定された取引元の銀行のホストコンピュータ１２−１および取引先の銀行のホストコンピュータ１２−２にこれら銀行間の振込を実行させる。【選択図】      図１
2007011898.tif 000002
【特許請求の範囲】
【請求項１】
複数の各金融機関のホストコンピュータに接続可能に構成された自動取引装置であって、
複数の振込先および複数の振込元を記憶する記憶部を有するカードを読み取る読取部と、
前記読取部から読みとった複数の振込先および振込元の顧客にたいして選択入力可能に表示する表示入力部と、
前記表示入力部により複数の振込先および振込元の中から顧客より選択されて振込先および振込先に対応する金融機関の前記各ホストコンピュータとの間でデータの授受を行うデータ授受部と、を有し、
前記カードからの複数の振込先と複数の振込元から顧客により選択された振込元から振込先への振込処理を各金融機関のホストコンピュータとの間でデータの授受を行い遂行することを特徴とする自動取引装置。
【請求項２】
複数の金融機関間での取引を実行可能にするために前記複数の金融機関間での取引を管理する共同ホストコンピュータと前記共同ホストコンピュータに接続される少なくとも一つの自動取引装置とを備え、
前記共同ホストコンピュータは、前記取引に関するデータが前記自動取引装置に入力されると該自動取引装置からその入力データを受取り、該入力データにより指定された取引元の金融機関および取引先の金融機関の各ホストコンピュータに当該金融機関間の取引を実行させる、ことを特徴とする取引管理システム。
【請求項３】
前記入力データは各金融機関間で共用の媒体に記録されたデータを含み、前記自動取引装置は前記媒体に記録されたデータを読取る、請求項２に記載の取引管理システム。
【請求項４】
複数の各金融機関のホストコンピュータに接続可能に構成され、
複数の振込先および複数の振込元を記憶する記憶部を有するカードを読み取り、
読み取った複数の振込先および振込元の顧客にたいして選択入力可能に表示し、
表示された複数の振込先および振込元の中から顧客より選択されて振込先および振込先に対応する金融機関の前記各ホストコンピュータとの間でデータの授受を行い、
前記カードからの複数の振込先と複数の振込元から顧客により選択された振込元から振込先への振込処理を各金融機関のホストコンピュータとの間でデータの授受を行い遂行することを特徴とする取引管理方法。
【発明の詳細な説明】
【技術分野】
【０００１】
本発明は、自動取引装置、取引管理システムおよびその方法に関し、特に、銀行で発行された媒体、例えばキャッシュカードに記録されたデータを自動取引装置である現金自動取引装置（ＡＴＭ）で読取り、銀行間の為替振込処理（以下、単に振込と記す）を実行する自動取引装置、取引管理システムおよびその方法に関する。
【背景技術】
【０００２】
特許文献１に記載の発明は、従来のＡＴＭでは、基本機能として現金の受け払い機能は行っているものの銀行振込を行うことができないという問題を解決するため、磁気カード等の記録媒体に銀行振込に関するデータを予め記録しておきその記録媒体をＡＴＭに読取らせて銀行間の振込をできるようにしたものである。
【０００３】
特許文献２に記載の発明は、従来のＡＴＭでは、振込カード１枚に付き、１件の振込先情報データしか記憶出来ないため、顧客が複数の振込取引を行う場合は、複数のカードを持たなければならないという問題を解決するため、ＩＣカードに複数の振込先情報データを記憶しておくことにより、顧客が所持する振込カードの枚数を削減するようにしたものである。
【０００４】
【特許文献１】特開昭６１−０４５３５８号公報（明細書の［特許請求の範囲］、［発明の背景］、［発明の目的］および［発明の概要］、および図面の第２図と第４図参照）。
【特許文献２】特開平６−１０３４４０号公報（明細書の［特許請求の範囲］の［請求項１］、段落番号［００１１］、［００１２］および［００２４］、および図面の［図１］〜［図４］参照）。
【発明の開示】
【発明が解決しようとする課題】
【０００５】
上記特許文献１および２は、いずれも顧客が銀行毎のキャッシュカードと振込カードとをそれぞれもち、かつ振込元の銀行のＡＴＭからでないと当該銀行からの振込を行うことができず、利便性に欠けるという問題がある。
【０００６】
特許文献２に記載の発明は、ＩＣカードに複数の振込先情報データを記憶しておくことにより、顧客が所持する振込カードの枚数を削減するとともに、振込先は登録されたなかで、選択できるが、振込元は、１つであり選択できないという問題があった。
【０００７】
本発明は、上記問題を解決するためになされたものであり、銀行で発行された媒体、例えばキャッシュカードに記録されたデータをＡＴＭで読取り、ＡＴＭで顧客に所定の操作を実行させることで、顧客が振込元および振込先の銀行を自由に選択した銀行間の振込を実行する自動取引装置、取引管理システムおよびその方法を提供することを目的とする。
【課題を解決するための手段】
【０００８】
上記目的を達成する本発明による自動取引装置は、複数の各金融機関のホストコンピュータに接続可能に構成された自動取引装置であって、複数の振込先および複数の振込元を記憶する記憶部を有するカードを読み取る読取部と、前記読取部から読みとった複数の振込先および振込元の顧客にたいして選択入力可能に表示する表示入力部と、前記表示入力部により複数の振込先および振込元の中から顧客より選択されて振込先および振込先に対応する金融機関の前記各ホストコンピュータとの間でデータの授受を行うデータ授受部と、を有し、前記カードからの複数の振込先と複数の振込元から顧客により選択された振込元から振込先への振込処理を各金融機関のホストコンピュータとの間でデータの授受を行い遂行することを特徴とする。
【０００９】
上記目的を達成する本発明による取引管理システムは、複数の金融機関間での取引を実行可能にするために前記複数の金融機関間での取引を管理する共同ホストコンピュータと前記共同ホストコンピュータに接続される少なくとも一つの自動取引装置とを備え、前記共同ホストコンピュータは、前記取引に関するデータが前記自動取引装置に入力されると該自動取引装置からその入力データを受取り、該入力データにより指定された取引元の金融機関および取引先の金融機関の各ホストコンピュータに当該金融機関間の取引を実行させる、ことを特徴とする。
上記取引管理システムにおいて、前記入力データは各金融機関間で共用の媒体に記録されたデータを含み、前記自動取引装置は前記媒体に記録されたデータを読取る。
【００１０】
上記目的を達成する本発明による取引管理方法は、複数の各金融機関のホストコンピュータに接続可能に構成され、複数の振込先および複数の振込元を記憶する記憶部を有するカードを読み取り、読み取った複数の振込先および振込元の顧客にたいして選択入力可能に表示し、表示された複数の振込先および振込元の中から顧客より選択されて振込先および振込先に対応する金融機関の前記各ホストコンピュータとの間でデータの授受を行い、前記カードからの複数の振込先と複数の振込元から顧客により選択された振込元から振込先への振込処理を各金融機関のホストコンピュータとの間でデータの授受を行い遂行することを特徴とする。
【発明の効果】
【００１１】
本発明によれば、各銀行のホストコンピュータおよびＡＴＭが接続され、ＡＴＭにより各銀行間で共用の媒体に記録された複数の振込元、振込先を読取り、各銀行のホストコンピュータに振込処理を指令するので、銀行毎に発行される媒体、顧客の銀行の発行するキャッシュカードを１つもつだけで、複数の銀行間での振込/振替処理を可能にする。
【発明を実施するための最良の形態】
【００１２】
以下、添付図面を参照しつつ本発明の実施形態を詳細に説明する。
図１は本発明の取引装置により銀行間の取引を行う一実施形態を示すブロック図である。図１全体に示す取引管理システム１は複数の銀行間での「振込処理」を例に挙げてその実施形態を説明する。
【００１３】
取引管理システム１は、複数の銀行間での振込処理を管理する取引装置である共同ホストコンピュータ（以下、共同ホストと記す）１１と、共同ホスト１１にそれぞれ接続され、複数ｎ個の銀行がそれぞれ備える銀行ホストコンピュータ（以下、銀行ホストと記す）１２−１、１２−２、…、１２−ｎと、共同ホスト１１に接続される少なくとも一つの現金自動取引装置（ＡＴＭ）１３とを備える。
【００１４】
ＡＴＭ１３は、各銀行間で共用の記録媒体としての共用キャッシュカード１４にデータを登録する機能や登録されたデータを読み出す機能を有する。またＡＴＭ１３は、タッチスクリーンの表示画面上で対話形式で顧客に銀行間の振込を実行可能とするための機能と共同ホスト１１との間で所定形式の電文を送受信する機能とを有する。さらにＡＴＭ１３は、共用キャッシュカード１４に登録された銀行の中から、振込元の銀行と振込先の銀行を自由に選択可能な操作機能を有する。この操作機能は共用キャッシュカード１４に登録された銀行に関するデータをＡＴＭ１３の画面に表示し、表示されたデータを選択することで振込元の銀行と振込先の銀行を決定する。
本実施形態では、共用キャッシュカード１４は、例えばＩＣチップを内蔵したＩＣカードであるが、磁気カード等の他の記録媒体でもよい。
【００１５】
共同ホスト１１は、例えばメインフレームもしくはサーバであり、大規模から中規模のコンピュータシステムである。各銀行ホスト１２−１〜１２〜ｎは通常メインフレームであり大規模なコンピュータシステムである。ＡＴＭ１３は、小規模のワークステーションレベルの専用コンピュータシステムであり、複数の銀行のうちの何れの銀行に属するものであるかに関わらず、振込処理を実行可能にする。各銀行ホスト１２−１〜１２〜ｎは通常各銀行の本店に設置される。共同ホスト１１は各銀行ホスト１２−１〜１２〜ｎの略中心の位置に設置される。ＡＴＭ１３は各銀行の本店、支店あるいは店舗内に設置される。
【００１６】
図１の右側にＡＴＭ１３の画面の表示例１、２が示されている。画面には各銀行に共通の統一仕様の画面が表示されている。表示例１は振込元の銀行を指定する時に表示される画面を示し、表示例２は取引が出金か入金か残高証明かを指定する時に表示される画面を示している。ＡＴＭ１３から画面を介して入力される入力データは各銀行間で共用の共用キャッシュカード１４に記録されたデータを含む。振込処理を実行するとき、先ずＡＴＭ１３は共用キャッシュカード１４に記録されたデータを読み出す。次にＡＴＭ１３は、共用キャッシュカード１４に登録された銀行の中から、顧客がタッチスクリーンの表示画面上に表示された銀行名を四角で囲む領域内（以下、このような部分をキーと呼ぶ）を指でタッチし、画面上に表示された振込元または振込先のキーを指でタッチすることにより、選択した振込元の銀行と振込先の銀行を特定するデータを共同ホスト１１に送信する。ここで、タッチとは押下げることを意味する。このように、本発明のＡＴＭ１３は振込元の銀行と振込先の銀行を自由に選択可能にする操作手段を設けている。すなわち、共有キャッシュカード１４には、顧客が複数の銀行に開設している複数の口座情報を記憶しておき、これを振込元の口座として利用できるようにしている。さらに、このキャッシュカード１４には、顧客が登録した複数の振込先情報が記憶されている。
【００１７】
振込処理に関するデータがＡＴＭ１３に入力されると入力されたデータに基づき、入力データにより指定された取引元の銀行Ａの銀行ホスト１２−１および取引先の銀行Ｂの銀行ホスト１２−２に後述する電文を送付し、銀行Ａのホストコンピュータ１２−１に出金を実行させ、銀行Ｂのホストコンピュータ１２−２に入金を実行させて、これら銀行間の取引を実行させる。この電文はＡＴＭ１３から直接各銀行のホストコンピュータ１２-１、１２−２に送付してもよく、また、共同コンピュータ１１で一括管理し、この共同コンピュータ１１を経由して、各銀行の各ホストコンピュータ１２-１、１２−２に送付するようにしてもよい。
【００１８】
各銀行ホスト１２−１〜１２〜ｎは、共同ホスト１１との間のインターフェースを有し、これにより顧客の銀行口座からの出金の依頼電文を共同ホスト１１から受信し、出金の可否に応じて出金可の場合は出金終了を示す電文を出金不可の場合はその旨を示す指令を共同ホスト１１に送信し、顧客の指定した銀行口座への入金の依頼電文を共同ホスト１１から受信し、入金の可否に応じて入金可の場合は入金終了を示す電文を入金不可の場合はその旨を示す指令を共同ホスト１１に送信することを可能としている。
【００１９】
図２は本発明の共用キャッシュカードにＡＴＭから登録する銀行に関するデータを示す図である。共用キャッシュカード（以下、ＩＣカードと記す）１４のＩＣチップにはそのカードの持ち主、すなわちそのカードに対応する銀行口座の名義人が登録する銀行に関するデータ（以下、銀行データ）として複数の銀行名、支店名、銀行番号、支店番号、科目（普通または定期等の口座の種別を示す）、口座番号、さらには名義人の氏名（法人名）、電話番号、等が記憶されている。
【００２０】
またＩＣカード１４には振込カウンタ情報として振込先の銀行名、支店名、銀行番号、支店番号、科目、口座番号、振込回数、名前、等が記憶されている。さらにＩＣカード１４には振込情報として振込元および振込先の銀行番号、支店番号、科目、口座番号、当該口座番号の名義人の氏名（法人名）、電話番号、等が記憶されている。
【００２１】
このように、顧客が取引を行う銀行を登録する時にＡＴＭ１３により顧客のＩＣカード１４に上記銀行データが記憶される。ＩＣカード１４に上記銀行データを登録した後はＩＣカード１４内に記憶された銀行データはＡＴＭ１３により読み出され、振込に必要な銀行データのみがＡＴＭ１３から共同ホスト１１に送信される。
【００２２】
図３は本発明による振込処理手順の説明図である。
ステップＳ１で、ＩＣカード１４をＡＴＭ１３に挿入するかまたは読み取らせる。
ステップＳ２で、ＡＴＭ１３の表示画面０で示される初期時の表示画面上の振込キーを選択する。
【００２３】
ステップＳ３で、ＡＴＭ１３はＩＣカード１４のＩＣ部から銀行データと振込データとを読み出し、ＡＴＭ１３内の振込カウンタ（不図示）の情報から振込頻度の高い順に上から振込元と振込先の銀行名とその支店名、さらに科目、口座番号を画面上に表示する制御を行う。必要に応じて振込元の口座番号に対応する名義人の氏名（法人名）、電話番号、および振込先の口座番号に対応する名義人の氏名（法人名）、電話番号、等の詳細情報を画面上に表示するようにしてもよい。また、ＡＴＭ１３は振込データからは登録されている振込元と振込先との間を線でつないで画面上に表示する制御を行う。このように、ＡＴＭ１３には一例として表示画面１が表示される。一方、表示画面１に振込先銀行が表示されない場合は、図６を用いて後述する処理（ステップ６０４〜６０６）を実行し、ステップＳ５−２に進み、金額の入力を行う。
【００２４】
ステップＳ４で、登録されている銀行間での振込を行う場合、表示画面１の登録キーを操作した後に振込元銀行キーを押下げることで、押下げられなかった表示画面１上の振込元銀行から出て振込先銀行に向かうこれらの間を結ぶ線の表示を消す。次に、振込先銀行キーを操作することにより振込元と振込先の銀行の選択を完了し、ステップＳ５−１に進み、金額の入力を行う。
ステップＳ３またはＳ４で振込元と振込先の銀行の選択が完了すると金額を入力する表示画面３が表示される。
【００２５】
ステップＳ５−１およびＳ５−２で、表示画面３上で金額を入力する。
ステップＳ６で、ＡＴＭ１３の表示画面上で振込元銀行キーを押下げ（ステップＳ３）、振込先銀行キーを押下げる（ステップＳ４）ことにより選択された銀行名と入力された金額（ステップＳ５−１およびＳ５−２）とから振込依頼電文を作成し、ＡＴＭ１３から共同ホスト１１へその電文を送信する。また、振込元銀行キーが１つしか登録されていない場合は振込元銀行キーを押下げることなく自動的に振込元銀行名が決定され、一方振込先銀行キーが１つしか登録されていない場合は振込先銀行キーを押下げることなくその登録された振込先銀行名が自動的に決定される。さらに、振込先銀行キーが１つも登録されていない場合は、新たに入力した振込先銀行名が決定される。
【００２６】
ステップＳ７で、図７Ｂを用いて後述する処理を実行する（ステップ７０８）。すなわち、共同ホスト１１からＡＴＭ１３への振込依頼応答電文を受信し振込不可の画面表示か振込が無事完了したことを示す振込結果を明細票に印字して出力する。
【００２７】
図４は本発明の共用キャッシュカードに記録されるデータ構造を示す図である。ＩＣカード１４内に記録されるデータは、登録振込先情報部とその他の情報部に分類される。登録銀行情報部は、登録振込元情報部に相当し、銀行番号（銀行コード、銀行名）、支店番号（支店コード、支店名）、口座番号（口座番号）および振込回数のデータを含む。登録振込先情報部は、銀行番号（銀行コード、銀行名）、支店番号（支店コード、支店名）、口座番号（口座番号）、受取人名（カナ）および受取人電話番号のデータを含む。その他の情報部は、ＣＩＦ（Common Intermediate Format：映像信号フォーマット）コードおよび有効性コード（０、１、２）のデータを含む。
【００２８】
有効性コードは、コード０が通常カードを示し、コード１が注意カードを示し、コード２が使用不可カードを示す。有効性コードが１のとき、１つの銀行取引で条件を満たした場合に更新され、すなわち銀行取引が正常に行う条件が満たされた場合有効性コードは０にリセットされる。有効性コードが２になるとそのＩＣカード１４は銀行取引を行うことができなくなる。この有効性コードは、例えば暗証番号の照合が３回不一致のとき有効性コードを２にしてＩＣカード１４による銀行取引を不能にする。
【００２９】
図５Ａは本発明の共用キャッシュカードに登録した銀行データを示す図であり、図４に示す登録銀行情報部と登録振込先情報部の詳細を示す図である。図５Ａの左側に示すように、登録銀行情報部の各データ間の関係は図示の通りの木構造となる。すなわち、各銀行コードの下に複数の支店番号のデータをもち、支店番号の下に単数または複数の口座番号のデータをもち、それぞれの口座番号の下にはそれぞれ振込回数のデータをもつ。
【００３０】
また、図５Ａの右側に示すように、登録振込先情報部の各データ間の関係は図示の通りの木構造となる。すなわち、各振込先銀行番号の下に単数または複数の振込先支店番号のデータをもち、振込先支店番号の下に単数または複数の振込先口座番号のデータをもち、それぞれの振込先口座番号の下には対となる受取人（受取名義人）名と受取人電話番号のデータをもつ。
【００３１】
図５Ｂは本発明の共用キャッシュカードに登録した銀行データを示す図であり、図４に示す登録銀行情報部と登録振込先情報部の関連を示す図である。図５Ａと異なる点は、登録銀行情報部と登録振込先情報部とが図５Ａではそれぞれ木構造となっているが、図５Ｂでは登録銀行情報部と登録振込先情報部の全体が木構造となっている点で異なる。
【００３２】
図６は本発明のＡＴＭによる振込処理手順を示すフローチャートである。
ステップ６０１で、ＩＣカード１４を読み出しカード内の登録データを取得する。
ステップ６０２で、振込処理の画面（図３の表示画面０）を表示し振込キーを押下げる。次に、図３の表示画面１を参照しつつステップ６０３を説明する。
【００３３】
ステップ６０３で、ＩＣカード１４に記録された登録データ内の登録銀行情報部より、銀行コードから銀行名に変換し、銀行コード、支店番号、口座番号を元に、画面上の振込元キーの位置に振込元の銀行名、支店名、口座番号（不図示）等のデータを登録データ内の全てのデータの中から振込回数の多い順に表示する（６０３−１）。一方、登録振込先情報部より、振込先銀行番号から銀行名に変換し、振込先銀行番号、振込先支店番号、振込先口座番号を元に、画面上の振込先キーの位置に振込先の銀行名、支店名、口座番号（不図示）等のデータを登録データ内の全てのデータの中からデータ登録順に表示する（６０３−２）。
【００３４】
また、ＩＣカード１４の登録データ内、登録銀行情報部と登録振込先情報部との関連により振込元銀行と振込先銀行の関連を線で結んで表示する（６０３−３）。ここで、ＩＣカード１４内の登録データの読み出しは１回のみ行い、ＡＴＭ１３のメモリ等の記憶部に保存し、以降の画面表示に必要なデータはＡＴＭ１３内の記憶部に保存したデータから読み出して行う。
【００３５】
ステップ６０３で、（イ）登録されている銀行振込を行う場合は登録キーを押下げた後ステップ６２１に進み、（ロ）登録されている銀行振込を行わずに画面上に振込先銀行名が表示されている場合は登録キーを押下げずに表示画面１上に表示されている振込元銀行と振込先銀行とを選択して押下げた後ステップ６０７に進み、（ハ）登録されている銀行振込を行わずに画面上に振込先銀行名が表示されていない場合はステップ６０４に進む。
【００３６】
（イ）の場合、表示画面１上で登録キーが押下げられたとき、選択した振込元キーとこれに関連する振込先銀行キーとの間のみを直線で結んで表示し、選択されなかった振込元キーから振込先銀行キーへの直線をマスク表示（非表示）し（６０３−４）、次に表示画面１上で振込元キーが選択され押下げられたとき表示画面２に示すように選択されなかった振込元キーから振込先銀行キーへの直線をマスク表示（非表示）し（６０３−５）、ステップ６２１に進む。
ステップ６２１で、振込先銀行を指定する（図３の表示画面２を参照）。
【００３７】
（ロ）の場合、登録キーを押下げずに振込を行うときは表示画面１上に表示されている振込元銀行と振込先銀行とを選択し（６０３−６）、ステップ６０７に進む。
（ハ）の場合、登録キーを押下げずに振込を行うときに画面上に振込先銀行名が表示されていないので振込先入力キーを押下げ振込先銀行名の入力処理を行い（６０３−７）、ステップ６０４に進む。
【００３８】
ステップ６０３−６で登録されていない振込処理のとき、ステップ６１０でＩＣカード１４内の登録銀行情報部の振込回数のデータと登録振込先情報部のデータを更新する。
ステップ６０３−７で振込先入力データを選択し振込先銀行名の入力処理を行ったときも同様に、ステップ６１０でＩＣカード１４内の登録銀行情報部の振込回数のデータと登録振込先情報部のデータを更新する。
【００３９】
ステップ６０４で、ＡＴＭ１３の画面上で振込先支店名の入力処理を行う。
ステップ６０５で、ＡＴＭ１３の画面上で振込先口座番号の入力処理を行う。
ステップ６０６で、ＡＴＭ１３の画面上で受取人名の入力処理を行う。
【００４０】
ステップ６０７で、ＡＴＭ１３の画面上で金銭の入力処理を行う。
ステップ６０８で、ＡＴＭ１３から共同ホスト１１へ振込依頼電文を送信する。
ステップ６０９で、共同ホスト１１からＡＴＭ１３への振込依頼応答電文を送信する。
【００４１】
ステップ６１０で、振込終了後、（ロ）の登録されていない銀行の振込であった場合、ＩＣカード１４内の登録銀行情報部の振込回数のデータと登録振込先情報部のデータとを更新し、（ハ）の振込先入力データを選択し画面上に振込先銀行名が表示されていないので振込先銀行のデータの入力処理を行った場合、ＩＣカード１４内の登録銀行情報部の振込回数のデータと登録振込先情報部のデータとを更新する。
ステップ６１１で、振込が無事に終了した場合は明細票を発行し、振込が不能であった場合はその旨を画面上に表示する。
【００４２】
図７Ａは本発明の共同ホストコンピュータが振込開始時にＡＴＭから振込依頼電文を受信し振込元銀行ホストコンピュータとの間で振込を行う手順を示すフローチャートであり、図７Ｂは本発明の共同ホストコンピュータが振込先銀行ホストコンピュータとの間で振込を行い振込終了時にＡＴＭへ振込依頼応答電文を送信する手順を示すフローチャートである。
【００４３】
ステップ７０１で、ＡＴＭ１３から送信された振込依頼電文を受信する。この振込依頼電文は、振込元銀行コード、振込元支店番号、振込元口座番号、振込先銀行コード、振込先支店コード、振込先口座番号、受取人名および振込金額を含むデータからなる。
ステップ７０２で、振込依頼電文を解読する。具体的には、受信した振込依頼電文から振込元銀行宛の電文と振込先銀行宛の電文を作成する。振込元銀行へは出金依頼電文を作成し、振込先銀行へは入金依頼電文を作成する。
ステップ７０３で、振込元銀行の銀行ホスト１２−１に出金依頼電文を送信する。この出金依頼電文は、銀行コード、支店コード、口座番号および金額を含むデータからなる。
【００４４】
以下に、振込元銀行の銀行ホスト１２−１における処理を説明する。
ステップ７１１で、共同ホスト１１から上記出金依頼電文を受信する。
ステップ７１２で、出金が依頼されている口座が出金可能か否かを判定し、可の場合はステップ７１３に進み、不可の場合はステップ７１５に進む。
ステップ７１３で、当該口座の元帳を出金後のデータに更新する。
ステップ７１４で、振込元出金応答電文を共同ホスト１１に送信する。この振込元出金応答電文は、銀行コード、支店コード、口座番号、手数料および取引後残高を含むデータからなる。
【００４５】
再び、共同ホスト１１の処理を説明する。
ステップ７１５で、振込元銀行の銀行ホスト１２−１で出金不可と判定され出金されなかったので振込元銀行の銀行ホスト１２−１から振込元出金応答電文を受信することなくステップ７０８に進む。
ステップ７０４で、振込元銀行の銀行ホスト１２−１から振込元出金応答電文を受信する。
ステップ７０５で、振込元銀行の銀行ホスト１２−１で出金可と判定されたのでステップ７０２で作成した振込先入金依頼電文を振込先銀行の銀行ホスト１２−２に送信する。この入金依頼電文は、銀行コード、支店コード、口座番号および金額を含むデータからなる。
【００４６】
以下に、振込先銀行の銀行ホスト１２−２における処理を説明する。
ステップ７２１で、共同ホスト１１から上記入金依頼電文を受信する。
ステップ７２２で、入金が依頼されている口座が入金可能か否かを判定し、可の場合はステップ７２３進み、不可の場合はステップ７２５に進む。入金不可の場合には、例えば入金先の口座に対し不正使用防止のため警視庁から警告が出された場合がある。
ステップ７２３で、当該口座の元帳を入金後のデータに更新する。
ステップ７２４で、振込先銀行入金応答電文を共同ホスト１１に送信する。この振込先銀行入金応答電文は、銀行コード、支店コード、口座番号および取引後残高を含むデータからなる。
【００４７】
再び、共同ホスト１１の処理を説明する。
ステップ７２５で、振込先銀行の銀行ホスト１２−２で入金不可と判定されたので入金されなかったので振込先銀行の銀行ホスト１２−２から振込先銀行入金応答電文を受信することなくステップ７０８に進む。この拒否受信時は、振込元銀行１２−１へ振込取消電文を送信し元帳を逆更新し、その後ＡＴＭ１３に送信する振込依頼応答電文内のフラグを立て、ＡＴＭ１３で振込不可の画面表示を行わせる。
【００４８】
ステップ７０６で、振込先銀行の銀行ホスト１２−２から振込先銀行入金応答電文を受信する。
ステップ７０７で、振込用元帳を更新する。振込用の元帳は共同ホスト１１がもっている。各銀行でのバッチ処理で元帳が必要な場合は共同ホスト１１と各銀行の銀行ホスト１２−１〜１２−ｎとの間で通信を行い元帳のデータの授受を行う。
【００４９】
ステップ７０８で、ＡＴＭ１３へ振込依頼応答電文を送信する。この振込依頼応答電文は、フラグ、振込元銀行コード、振込元支店番号、振込元口座番号、振込先銀行コード、振込先支店コード、振込先口座番号、受取人名、振込金額、手数料および取引後残高を含むデータからなる。この電文中のフラグが立っているときはＡＴＭ１３の画面上に振込不可を表示し、フラグが立っていないときは明細票を印字して出力する。
【００５０】
図１に示す実施形態における共同ホスト１１は、取引管理システム１に加盟した銀行間の取引に関する履歴データを元帳としてメモリ内に蓄積し、銀行の銀行ホスト１２−１〜１２−ｎは、共同ホスト１１を介して履歴データを照合できるようになっている。
【００５１】
以上、取引装置が共同ホストコンピュータである実施形態を用いて本発明を説明したが、本発明はこれに限定されるものでなく、本発明の他の実施形態として、上記共同ホストコンピュータを設けずにＡＴＭに該共同ホストコンピュータの有する機能を組込んで該ＡＴＭを取引装置とし、複数の銀行がそれぞれ備えるホストコンピュータに該ＡＴＭを通信可能に接続する構成としてもよい。
【００５２】
（付記１）
複数の金融機関間での取引を実行可能にする取引装置において、
前記取引装置は、前記取引に関するデータが入力されるとその入力データを元に生成された取引命令により指定された取引元の金融機関および取引先の金融機関の各ホストコンピュータに当該金融機関間の取引を実行させる、
ことを特徴とする取引装置。
【００５３】
（付記２）
前記取引は、前記複数の金融機関間の振込処理である、
付記１に記載の取引装置。
（付記３）
前記取引装置は、前記複数の金融機関のうちの何れかの金融機関に属する自動取引装置に接続され、該自動取引装置により前記入力データは読み取られ、前記取引命令は生成される、
付記１または２に記載の取引装置。
（付記４）
前記取引装置は、前記複数の金融機関間での取引を管理する共同ホストコンピュータであり、該共同ホストコンピュータは前記複数の金融機関がそれぞれ備えるホストコンピュータに接続される、
付記１乃至３の何れか一つに記載の取引装置。
【００５４】
（付記５）
複数の金融機関間での取引を実行可能にする取引カードであって、
前記取引カードは、前記複数の金融機関間で共通に使用され、所定の金融機関口座の名義人に対して発行され、かつ該名義人が前記取引を行う少なくとも一つの振込元の金融機関と振込先の金融機関を特定するデータを記録している、
ことを特徴とする取引カード。
【００５５】
（付記６）
前記取引カードはＩＣチップを内蔵したカードである、
付記５に記載の取引カード。
（付記７）
前記取引カードは金融機関間の振込回数を記録できる、
付記５または６に記載の取引カード。
【００５６】
（付記８）
複数の金融機関間での取引を実行可能にする取引管理システムにおいて、
前記複数の金融機関間での取引を管理する取引装置と、
前記取引装置にそれぞれ接続され、前記複数の金融機関がそれぞれ備えるホストコンピュータと、
前記取引装置に接続される少なくとも一つの自動取引装置とを備え、
前記取引装置は、前記自動取引装置に前記取引に関するデータが入力されると、前記自動取引装置がその入力データを元に生成した取引命令により指定された取引元の金融機関および取引先の金融機関の各ホストコンピュータに当該金融機関間の取引を実行させる、
ことを特徴とする取引管理システム。
【００５７】
（付記９）
複数の金融機関間での取引を実行可能にする取引方法において、
前記複数の金融機関の各ホストコンピュータに接続される取引装置は、
前記取引装置に接続された自動取引装置に前記取引に関するデータが入力されると前記自動取引装置がその入力データを元に生成した取引命令により指定された取引元の金融機関および取引先の金融機関の各ホストコンピュータに当該金融機関間の取引を実行させる、
ことを特徴とする取引方法。
【００５８】
（付記１０）
複数の金融機関間での取引を実行可能にするプログラムであって、
前記複数の金融機関の各ホストコンピュータに接続される取引装置に、
前記取引装置に接続された自動取引装置に前記取引に関するデータが入力されると、前記自動取引装置がその入力データを元に生成した取引命令により指定された取引元の金融機関および取引先の金融機関の各ホストコンピュータに当該金融機関間の取引を実行させる、
ことを特徴とするプログラム。
【図面の簡単な説明】
【００５９】
【図１】本発明の取引装置により銀行間の取引を行う一実施形態を示すブロック図である。
【図２】本発明の共用キャッシュカードにＡＴＭから登録する銀行に関するデータを示す図である。
【図３】本発明による振込処理手順の説明図である。
【図４】本発明の共用キャッシュカードに記録されるデータ構造を示す図である。
【図５Ａ】本発明の共用キャッシュカードに登録した銀行データを示す図であり、図４に示す登録銀行情報部と登録振込先情報部の詳細を示す図である。
【図５Ｂ】本発明の共用キャッシュカードに登録した銀行データを示す図であり、図４に示す登録銀行情報部と登録振込先情報部の関連を示す図である。
【図６】本発明のＡＴＭによる振込処理手順を示すフローチャートである。
【図７Ａ】本発明の共同ホストコンピュータが振込開始時にＡＴＭから振込依頼電文を受信し振込元銀行ホストコンピュータとの間で振込を行う手順を示すフローチャートである。
【図７Ｂ】本発明の共同ホストコンピュータが振込先銀行ホストコンピュータとの間で振込を行い振込終了時にＡＴＭへ振込依頼応答電文を送信する手順を示すフローチャートである。
【符号の説明】
【００６０】
１    取引管理システム
１１    共同ホストコンピュータ（取引装置）
１２−１，１２−２、…、１２−ｎ    銀行ホストコンピュータ
１３    ＡＴＭ（現金自動取引装置）
１４    共用キャッシュカード（取引装置、ＩＣカード）
【図１】
2007011898.tif 000003
【図２】
2007011898.tif 000004
【図３】
2007011898.tif 000005
【図４】
2007011898.tif 000006
【図５Ａ】
2007011898.tif 000007
【図５Ｂ】
2007011898.tif 000008
【図６】
2007011898.tif 000009
【図７Ａ】
2007011898.tif 000010
【図７Ｂ】
2007011898.tif 000011